(57)【特許請求の範囲】
【請求項１】
需要家施設の発電システムから電力系統へ出力する電力の出力抑制を要請する制御信号を前記発電システムに出力する制御システムであって、
前記出力抑制を要請する期間を指定する複数の日時情報を含む第１制御情報を、サーバ装置から取得する第１通信部と、
前記複数の日時情報を含む第２制御情報を保持する記録媒体から前記第２制御情報を取得する第２通信部と、
前記複数の日時情報に応じた前記制御信号を前記発電システムに出力する出力部と、
前記第１通信部、前記第２通信部及び前記出力部を制御する制御部と、
を備え、
前記制御部は、前記第１制御情報を前記第１通信部に取得させる第１状態と、前記記録媒体に保持された前記第２制御情報を前記第２通信部に取得させる第２状態と、を択一的に選択する
ことを特徴とする制御システム。
【請求項２】
前記複数の日時情報を保持する記憶部をさらに備え、
前記制御部は、前記第１制御情報及び前記第２制御情報のうち少なくとも一方に含まれる前記複数の日時情報を前記記憶部に保持させる
ことを特徴とする請求項１に記載の制御システム。
【請求項３】
前記複数の日時情報のうち少なくとも１つの前記日時情報を選択する選択部をさらに備え、
前記制御信号は、前記選択部が選択した前記日時情報である
ことを特徴とする請求項１又は２に記載の制御システム。
【請求項４】
前記制御部は、前記第１制御情報に含まれる前記複数の日時情報のうち、現在の日時よりも後の複数の日時情報を前記第２通信部に取得させる
ことを特徴とする請求項１〜３の何れか１項に記載の制御システム。
【請求項５】
表示部と、
前記表示部を制御する表示制御部と、
をさらに備え、
前記制御部は、前記第１通信部から前記第１制御情報に含まれる前記複数の日時情報を取得できるか否かを判定し、
前記表示制御部は、前記制御部が前記第１制御情報に含まれる前記複数の日時情報を取得できないと判定した場合、前記記録媒体に保持されている前記第２制御情報の更新を促す情報を前記表示部に表示させる
ことを特徴とする請求項１〜４の何れか１項に記載の制御システム。
【請求項６】
前記第１通信部が前記第１制御情報を取得した日時を示す第１作成日時情報を生成する生成部をさらに備え、
前記第２制御情報はさらに、前記第２制御情報が作成された日時を示す第２作成日時情報を含み、
前記制御部は、前記第２作成日時情報の日時が、前記第１作成日時情報の日時よりも前である場合、前記第１制御情報に含まれる複数の日時情報及び前記第１作成日時情報を前記第２通信部から前記記録媒体に出力させ、
前記第２通信部は、前記第２制御情報に含まれる前記複数の日時情報を、前記第１制御情報に含まれる前記複数の日時情報に更新し、前記第２作成日時情報の日時を前記第１作成日時情報の日時に更新する
ことを特徴とする請求項１〜５の何れか１項に記載の制御システム。
【請求項７】
表示部と、
前記表示部を制御する表示制御部と、
前記第２作成日時情報の日時から現在の日時までの日数が規定日数を超えるか否かを判定する判定部と、
をさらに備え、
前記表示制御部は、前記判定部が前記第２作成日時情報の日時から現在の日時までの日数が前記規定日数を超えると判断した場合、前記記録媒体に保持されている前記第２制御情報を更新するよう促す情報を前記表示部に表示させる
ことを特徴とする請求項６に記載の制御システム。
【請求項８】
前記記録媒体が保持している前記第２制御情報が正規の情報であるか否かを判定する確認部をさらに備え、
前記制御部は、前記第２制御情報が正規の情報であると前記確認部が判定した場合、前記第２制御情報を前記第２通信部に取得させる
ことを特徴とする請求項１〜７の何れか１項に記載の制御システム。
【請求項９】
前記記録媒体はさらに、識別情報を保持し、
前記制御部は、前記識別情報を前記第２通信部に取得させ、
前記確認部は、固有の端末情報を有し、前記識別情報が前記固有の端末情報に基づいて作成されたか否かを判定する
ことを特徴とする請求項８に記載の制御システム。
【請求項１０】
前記固有の端末情報に基づいて前記識別情報を生成する生成部をさらに備え、
前記制御部は、前記識別情報を前記第２通信部から前記記録媒体に出力させる
ことを特徴とする請求項９に記載の制御システム。
【発明の詳細な説明】
【技術分野】
【０００１】
本発明は、発電システムを制御する制御システムに関する。
【背景技術】
【０００２】
従来、自立運転可能な電力供給手段と少なくとも１つの負荷とを有する需要家（需要家施設）に設けられる制御装置が知られている（例えば特許文献１参照）。特許文献１に記載されている制御装置は、電力供給手段と負荷とを制御するための制御装置である。制御装置は、自立運転中の負荷の運転スケジュールである自立運転中スケジュールを決定する運転スケジュール決定部を備える。運転スケジュール決定部は、自立運転を実行する期間と、電力供給手段の電力供給状況と、負荷の状況とに基づいて、自立運転中スケジュールを決定する。制御装置は、外部ネットワークとの通信を行うことにより、制御に用いる情報を外部ネットワークから取得可能である。
【先行技術文献】
【特許文献】
【０００３】
【特許文献１】特開２０１２−２２８０４３号公報
【発明の概要】
【発明が解決しようとする課題】
【０００４】
特許文献１に記載されている制御装置が、外部ネットワークと通信できない場合、制御装置は、電力供給手段（発電システム）の制御に用いる情報を外部ネットワークから取得できなくなる可能性がある。その場合、制御装置は、電力供給手段を制御する制御信号を出力できなくなる可能性がある。
【０００５】
本発明は上記課題に鑑みてなされ、サーバ装置と通信できない場合でも、発電システムを制御する制御信号を出力可能な制御システムを提供することを目的とする。
【課題を解決するための手段】
【０００６】
本発明の制御システムは、需要家施設の発電システムから電力系統へ出力する電力の出力抑制を要請する制御信号を前記発電システムに出力する制御システムであって、前記出力抑制を要請する期間を指定する複数の日時情報を含む第１制御情報を、サーバ装置から取得する第１通信部と、前記複数の日時情報を含む第２制御情報を保持する記録媒体から前記第２制御情報を取得する第２通信部と、前記複数の日時情報に応じた前記制御信号を前記発電システムに出力する出力部と、前記第１通信部、前記第２通信部及び前記出力部を制御する制御部と、を備え、前記制御部は、前記第１制御情報を前記第１通信部に取得させる第１状態と、前記記録媒体に保持された前記第２制御情報を前記第２通信部に取得させる第２状態と、を択一的に選択することを特徴とする。
【発明の効果】
【０００７】
本発明の制御システムによれば、サーバ装置と通信できない場合でも、発電システムを制御する制御信号を出力可能となる。
【図面の簡単な説明】
【０００８】
【図１】本発明に係る実施形態の制御システム及び発電システムを含むシステムのブロック図である。
【図２】同上の制御システムの表示部の説明図である。
【図３】同上の制御システムの表示部の別の説明図である。
【図４】同上の制御システムの表示部のさらに別の説明図である。
【発明を実施するための形態】
【０００９】
本実施形態の制御システム１について、図１〜図４を参照して説明する。
【００１０】
本実施形態の制御システム１は、需要家施設（facility）の発電システム１０２の出力電力を制御するシステムである。より詳細には、制御システム１は、発電システム１０２から電力系統に出力される電力（売電電力）を制御するシステムである。需要家施設は、一例として、戸建て住宅である。なお、需要家施設は、他の例として、集合住宅及び商業施設などでもよい。
【００１１】
制御システム１は、図１に示すように、サーバ装置１０１が送信する第１制御情報Ｄ１を所定期間（例えば３日）が経過するごとに受信する。第１制御情報Ｄ１は、複数の日時情報Ｄ３を含む。制御システム１は、サーバ装置１０１から第１制御情報Ｄ１を受信した後に、一定の期間（例えば７日間）、新たな第１制御情報Ｄ１を受信できない場合、記録媒体５に保持されている第２制御情報Ｄ２を取得する。第２制御情報Ｄ２は、複数の日時情報Ｄ３を含む。したがって、制御システム１は、サーバ装置１０１から第１制御情報Ｄ１を受信できない場合でも、記録媒体５から第２制御情報Ｄ２を取得することにより、複数の日時情報Ｄ３を取得できる。
【００１２】
本実施形態の制御システム１は、第１制御情報Ｄ１に基づく制御信号（日時情報Ｔ１）を発電システム１０２に出力する。制御システム１は、一例として、受信した第１制御情報Ｄ１に含まれる１日分（２４時間分）の日時情報Ｔ１を発電システム１０２に出力する。
【００１３】
発電システム１０２は、通信ユニット１０３と、分散型電源である太陽光パネル１０５と、パワーコンディショナ１０４と、を有する。本明細書において、「発電システム１０２の発電電力」とは、太陽光パネル１０５で発電した電力をパワーコンディショナ１０４で電力変換して得られた電力である。発電システム１０２の発電電力の値は、計測ユニットによって計測される。発電システム１０２は、一例として、ＨＥＭＳ（Home Energy Management System）に対応する。一例として、ＨＥＭＳコントローラは、パワーコンディショナ１０４の出力電力に応じてＨＥＭＳ対応機器の動作を制御することができる。
【００１４】
発電システム１０２は、発電した電力の一部又は全部を、戸建て住宅の負荷（電気機器）に供給することができる。また、発電システム１０２は、太陽光パネル１０５が発電した電力をパワーコンディショナ１０４にて電力変換して得られた電力の一部又は全部を電気事業者に売電することができる。より詳細には、パワーコンディショナ１０４は、分電盤を介して負荷（電気機器）及び電力系統に選択的に電力を出力する。パワーコンディショナ１０４は、通信ユニット１０３が出力する日時情報Ｔ１に含まれる日時で定まる期間において、電力系統に出力する電力を規定値以下に制限する。
【００１５】
計測ユニットは、一例として、パワーコンディショナ１０４の発電電力及びその電力量の少なくとも一方を計測する。計測ユニットは、電気機器などの消費電力及びその電力量の少なくとも一方を計測する。
【００１６】
発電システム１０２は、発電した電力を売電する際に、電気事業者からの出力抑制の要請に関する情報を取得していない場合、売電できない。そのため、発電システム１０２は、定期的に電気事業者からの出力抑制の要請に関する情報を取得する必要がある。
【００１７】
サーバ装置１０１は、一例として、電波を用いた無線通信により、第１制御情報Ｄ１を送信（送出）する。サーバ装置１０１は、一例として、電気事業者が管理するサーバ、又は電気事業者に売電する仲介業者が管理するサーバなどである。
【００１８】
第１制御情報Ｄ１は、電気事業者が発電システム１０２から売電される電力を制限する（出力抑制する）ために用いられる情報である。より詳細には、第１制御情報Ｄ１は、電気事業者が出力抑制を要請する期間を指定する複数の日時情報Ｄ３を含む。言い換えると、「複数の日時情報Ｄ３」とは、電気事業者が出力抑制を要請する期間に関するスケジュール情報である。複数の日時情報Ｄ３はさらに、複数の日時情報Ｄ３にそれぞれ対応する複数の「第３制御情報」を含んでいる。第３制御情報は、一例として、発電システム１０２が出力する最大の電力に対する割合を示す情報である。第１制御情報Ｄ１は、一例として、出力抑制に関する４００日分の日時情報Ｔ１を含む。日時情報Ｔ１は、一例として、１日（２４時間）において電気事業者が出力抑制を要請する期間を含む。日時情報Ｔ１はさらに、日時情報Ｔ１に対応する「第３制御情報」を含んでいる。日時情報Ｔ１は、一例として、８時から１８時までの期間を、出力抑制の期間として指定する情報を含む。日時情報Ｔ１は、一例として、８時から１８時までの期間において発電システム１０２が出力する最大の電力に対する割合を示す情報を含む。また、日時情報Ｔ１において、出力抑制の期間の開始時間及び終了時間は、日時情報Ｔ１ごとに異なる場合がある。日時情報Ｔ１において、発電システム１０２が出力する最大の電力に対する割合は、日時情報Ｔ１ごとに異なる場合がある。
【００１９】
本実施形態の制御システム１は、第１通信部３と、第２通信部４と、制御部２と、出力部１１と、を備える。制御システム１はさらに、記憶部６と、記録媒体５が接続される接続部７と、選択部８と、表示制御部１３と、表示部１２と、生成部９と、判定部１５と、確認部１０と、を備える。本実施形態の制御システム１は一例として、マイクロコンピュータを有している。マイクロコンピュータは、マイクロコンピュータが内蔵するメモリからプログラムを読み込んでプログラムを実行することにより、制御部２と、選択部８と、表示制御部１３と、生成部９と、判定部１５と、確認部１０とを実現する。制御システム１は、発電システム１０２の発電状況などを確認するためのエネルギーモニタとして用いられる。一例として、表示制御部１３は、表示部１２に、発電システム１０２の発電電力、電気機器などの消費電力などを表示させることができる。
【００２０】
第１通信部３は、電波を用いた無線通信を行うためのアンテナを有する。第１通信部３は、無線通信機器（例えば無線ルータなど）と無線通信を行う。無線通信機器は、サーバ装置１０１と通信を行う。第１通信部３は、サーバ装置１０１が送信（送出）した信号を、無線通信機器から受信することにより、第１制御情報Ｄ１を受信する。第１通信部３の第１制御情報Ｄ１の受信動作は、制御部２によって制御される。第１通信部３は、受信した信号を制御部２に出力する。第１通信部３には、固有の端末情報Ｄ７が割り当てられている。この固有の端末情報Ｄ７は、一例として、ＬＡＮ（Local Area Network）で用いられる通信機器に個別に割り当てられるＭＡＣアドレス（Media Access Control address）情報である。固有の端末情報Ｄ７は、確認部１０が有している。
【００２１】
制御部２は、第１通信部３、及び第２通信部４を制御する。制御部２は、第１状態と第２状態とを択一的に選択する。より詳細には、制御部２は、第１制御情報Ｄ１を第１通信部３に取得させる第１状態と、記録媒体５に保持された第２制御情報Ｄ２を第２通信部４に取得させる第２状態と、を択一的に選択する。制御部２は、第１通信部３がサーバ装置１０１と通信できる場合、第１状態を選択する。制御部２は、第１制御情報Ｄ１から複数の日時情報Ｄ３を受信できなかった回数をカウントし、そのカウントが所定回数（例えば４回）に達すると、第１通信部３がサーバ装置１０１と通信できない状態であると判断する。制御部２は、第１通信部３がサーバ装置１０１と通信できない状態であると判断すると、第２状態を選択する。つまり制御部２は、記録媒体５に保持された第２制御情報Ｄ２を第２通信部４に取得させる。言い換えると、制御部２は、第１通信部３がサーバ装置１０１と通信できない状態となって第１通信部３から複数の日時情報Ｄ３を取得できない場合に、記録媒体５が保持する第２制御情報Ｄ２から複数の日時情報Ｄ３を取得する。したがって、制御部２は、第１制御情報Ｄ１又は第２制御情報Ｄ２から複数の日時情報Ｄ３を取得することができる。
【００２２】
制御部２は、一例として、所定期間（３日）が経過するごとに、第１制御情報Ｄ１を第１通信部３に取得させる。制御部２は、第１通信部３から取得した複数の日時情報Ｄ３を、記憶部６に保持させる。制御部２は、記憶部６から複数の日時情報Ｄ３を取得して、選択部８に出力する。記憶部６はさらに、第１制御情報Ｄ１を取得した日時に関する日時情報を第１作成日時情報Ｄ４として記憶部６に保持させる。制御部２は、一例として、マイクロコンピュータの有するリアルタイムクロックの日時情報に基づいて第１作成日時情報Ｄ４を作成する。
【００２３】
記憶部６は、一例として、ＥＥＰＲＯＭ（Electrically Erasable Programmable Read-Only Memory）からなる。記憶部６は、複数の日時情報Ｄ３と、第１作成日時情報Ｄ４とを保持する。
【００２４】
記録媒体５は、一例として、フラッシュメモリなどのような半導体メモリを有する。記録媒体５は、一例として、メモリカードである。記録媒体５が保持している情報は、電気的に書き換え可能である。記録媒体５は、第２制御情報Ｄ２と、識別情報Ｄ６とを保持する。
【００２５】
第２通信部４は、記録媒体５と通信するように構成されている。第２通信部４は、接続部７と電気的に接続されている。接続部７は、記録媒体５（メモリカード）が差し込まれるスロットを具備しており、そのスロットに記録媒体５が差し込まれることにより接続部７と記録媒体５とが電気的に接続される。記録媒体５が接続部７に差し込まれた状態で、第２通信部４は、記録媒体５が保持している情報の読み取りと、記録媒体５への情報の書き込みを行う。
【００２６】
第２通信部４は、接続部７を介して記録媒体５から第２制御情報Ｄ２を取得する。第２通信部４は、第２制御情報Ｄ２を制御部２に出力する。制御部２は、第２制御情報Ｄ２に含まれる複数の日時情報Ｄ３を記憶部６に保持させる。第２通信部４の第２制御情報Ｄ２の取得動作は、制御部２によって制御される。
【００２７】
第２制御情報Ｄ２は、第１制御情報Ｄ１と同様の情報である。より詳細には、第２制御情報Ｄ２は、電気事業者が出力抑制を要請する期間を指定する複数の日時情報Ｄ３を含む。一例として、第２制御情報Ｄ２は、４００日分の出力抑制に関する情報を含む。４００日の各日には、電気事業者が出力抑制を要請する期間の時間情報が含まれている。言い換えると、第２制御情報Ｄ２は、第１制御情報Ｄ１のバックアップデータに相当する。第２制御情報Ｄ２はさらに、第２制御情報Ｄ２が作成された日時を示す第２作成日時情報Ｄ５を含む。第２作成日時情報Ｄ５は、第２制御情報Ｄ２のタイムスタンプ情報である。
【００２８】
制御部２は、第１制御情報Ｄ１及び第２制御情報Ｄ２のうち少なくとも一方に含まれる複数の日時情報Ｄ３を記憶部６に保持させる。より詳細には、制御部２は、第１通信部３が第１制御情報Ｄ１を取得できた場合、第１制御情報Ｄ１に含まれる複数の日時情報Ｄ３を記憶部６に保持させる。
【００２９】
制御部２は、第１制御情報Ｄ１を第１通信部３から取得すると、取得した第１制御情報Ｄ１に含まれる複数の日時情報Ｄ３を記憶部６に保持させる。記憶部６に保持されている過去の複数の日時情報Ｄ３は上書きされる。したがって、記憶部６は、第１通信部３が第１制御情報Ｄ１を受信できる場合、最新の複数の日時情報Ｄ３を保持する。
【００３０】
制御部２は、第１通信部３が第１制御情報Ｄ１を取得できないと判断した場合、第２制御情報Ｄ２に含まれる複数の日時情報Ｄ３を記録媒体５から取得する。より詳細には、制御部２は、第１制御情報Ｄ１に含まれる複数の日時情報Ｄ３のうち、現在の日時よりも後の複数の日時情報Ｄ３１を第２通信部４に取得させる。一例として、制御部２は、リアルタイムクロックから現在の日時を取得し、現在の日時よりも後の複数の日時情報Ｄ３１を第２通信部４に取得させる。一例として、制御部２は、現在の日時よりも後の複数の日時情報Ｄ３１のうち、新しい日時の日時情報Ｔ１から順に第２通信部４に取得させる。制御部２は、第２通信部４が取得した日時情報Ｔ１の日時と、現在の日時とを比較する。制御部２は、第２通信部４が取得した日時情報Ｔ１の日時が、現在の日時よりも後の日時（未来の日時）である場合には、第２通信部４に複数の日時情報Ｄ３の取得を続けさせる。制御部２は、第２通信部４が取得した日時情報Ｔ１の日時が、現在の日時よりも前の日時（過去の日時）である場合には、第２通信部４に複数の日時情報Ｄ３の取得を停止させる。したがって、制御部２は、現在の日時よりも過去の日時情報Ｔ１を記録媒体５から取得することを抑制する。その結果、制御部２は、選択部８が選択しない「過去の日時情報Ｔ１」を記憶部６に保持させることを抑制できる。
【００３１】
制御部２は、第１通信部３が第１制御情報Ｄ１を取得した日時を示す第１作成日時情報Ｄ４を生成する。制御部２は、第１通信部３が第１制御情報Ｄ１の取得を完了すると、リアルタイムクロックから日時情報を取得し、その日時情報を第１作成日時情報Ｄ４として記憶部６に保持させる。言い換えると、第１作成日時情報Ｄ４は、第１制御情報Ｄ１のタイムスタンプ情報である。
【００３２】
制御部２は、第２作成日時情報Ｄ５の日時が、第１作成日時情報Ｄ４の日時よりも前である場合、第１制御情報Ｄ１に含まれる複数の日時情報Ｄ３及び第１作成日時情報Ｄ４を第２通信部４から記録媒体５に出力させる。第２通信部４は、第２作成日時情報Ｄ５の日時を第１作成日時情報Ｄ４の日時に更新する。さらに第２通信部４は、第２制御情報Ｄ２に含まれる複数の日時情報Ｄ３を、第１制御情報Ｄ１に含まれる複数の日時情報Ｄ３に更新する。言い換えると、第１通信部３が第１制御情報Ｄ１を取得できる場合であって、かつ第２作成日時情報Ｄ５の日時が第１作成日時情報Ｄ４の日時よりも前である場合、制御部２は、第２制御情報Ｄ２を第２通信部４に更新させる。
【００３３】
表示部１２は、一例として液晶ディスプレイで構成される。表示制御部１３は、表示部１２の表示内容を制御する。制御部２は、第１通信部３が第１制御情報Ｄ１を取得できないと判断した場合、第１通信部３が第１制御情報Ｄ１を取得できないことを通知する信号を表示制御部１３に出力する。表示制御部１３は、一例として、サーバ装置１０１と通信できないことを通知する情報をメッセージＭ１として表示部１２に表示させる（図２）参照）。表示制御部１３は、第２制御情報Ｄ２を保持している記録媒体５を接続部７に接続することを促す情報をメッセージＭ１に含ませる。表示制御部１３は、一例として、「複数の日時情報Ｄ３」を「カレンダー情報」という文字列で表示部１２に表示させる。第１通信部３から第１制御情報Ｄ１を取得できない期間が例えば３日続くと、表示制御部１３は、記録媒体５の第２制御情報Ｄ２の更新を促すメッセージＭ１を表示部１２に表示させる。メッセージＭ１は、最新の第２制御情報Ｄ２が保持されている記録媒体５を接続するよう促す情報と、記録媒体５が保持する複数の日時情報Ｄ３を更新する方法とに関する情報を含む。
【００３４】
戸建て住宅の住人が、表示部１２を見ることにより、サーバ装置１０１と通信できないことを知ることができる。戸建て住宅の住人は、制御部２が第１通信部３から複数の日時情報Ｄ３を取得できない場合でも、メッセージＭ１を見て、最新のカレンダー情報（複数の日時情報Ｄ３）を保持している記録媒体５を接続部７に接続すればよいことを知ることができる。その結果、制御部２は、第１通信部３から複数の日時情報Ｄ３を取得できない場合でも、最新の第２制御情報Ｄ２に含まれる複数の日時情報Ｄ３を記録媒体５から取得することができる。住人は、一例として、メッセージＭ１を見て、最新のカレンダー情報（複数の日時情報Ｄ３）を保持している記録媒体５に差し替えることができる。
【００３５】
記録媒体５が保持する複数の日時情報Ｄ３を更新する方法は、一例として、記録媒体５に書き込み可能な装置を有するパーソナルコンピュータ又はスマートフォンなどの情報端末機器を用いる方法である。戸建て住宅の住人が、複数の日時情報Ｄ３をインターネットからパーソナルコンピュータ又はスマートフォンなどの情報端末機器にダウンロードする。情報端末機器は、メモリカードの読み書き機能を有する。情報端末機器は、情報端末機器の読み書き機能を用いて、記録媒体５に最新の複数の日時情報Ｄ３及び第２作成日時情報Ｄ５を書き込む。その結果、最新の複数の日時情報Ｄ３が記録媒体５に保持された状態となり、第２作成日時情報Ｄ５が更新される。戸建て住宅の住人が、記録媒体５を接続部７に接続することにより、第２通信部４は、更新された第２作成日時情報Ｄ５を取得することができるようになる。
【００３６】
判定部１５は、第２作成日時情報Ｄ５の日時から現在の日時までの日数が規定日数（例えば７日）を超えるか否かを判定する。判定部１５は、制御部２が取得した第２作成日時情報Ｄ５と、リアルタイムクロックから取得した現在の日時とを比較して、第２作成日時情報Ｄ５の日時から現在の日時までの日数を求める。表示制御部１３は、第２作成日時情報Ｄ５の日時から現在の日時までの日数が規定日数を超える場合、記録媒体５に保持されている第２制御情報Ｄ２を更新するよう促す情報を表示部１２に表示させる（図３参照）。より詳細には、表示制御部１３は、記録媒体５が保持する複数の日時情報Ｄ３を更新するよう促すメッセージＭ２を、表示部１２に表示させる。メッセージＭ２は、第２制御情報Ｄ２の複数の日時情報Ｄ３を「カレンダー情報」として表示させる情報を含む。メッセージＭ２はさらに、第２作成日時情報Ｄ５の日時から現在の日時までの日数と、記録媒体５が保持する複数の日時情報Ｄ３を更新する方法とに関する情報を含む。複数の日時情報Ｄ３を更新する方法に関する情報とは、一例として、カレンダー情報（複数の日時情報Ｄ３）を取得できるＷｅｂ（World Wide Web）サイトのＵＲＬ（Uniform Resource Locator）情報である。戸建て住宅の住人は、メッセージＭ２を見ることにより、記録媒体５の複数の日時情報Ｄ３の更新が促され、かつ記録媒体５が保持する複数の日時情報Ｄ３がどれくらい古い情報であるかを知ることができる。
【００３７】
生成部９は、第１通信部３からＭＡＣアドレス情報を取得する。生成部９は、ＭＡＣアドレス情報を固有の端末情報Ｄ７としている。生成部９は、固有の端末情報Ｄ７（ＭＡＣアドレス）に基づいて識別情報Ｄ６を生成する。制御部２は、識別情報Ｄ６を第２通信部４から記録媒体５に出力させる。制御部２は、識別情報Ｄ６を記録媒体５に保持させる。戸建て住宅の住人は、記録媒体５を接続部７から取り外して、識別情報Ｄ６を他の機器（例えばパーソナルコンピュータやスマートフォンなど）で利用することができるようになる。一例として、戸建て住宅の住人は、インターネットからカレンダー情報（複数の日時情報Ｄ３）をダウンロードする際に、識別情報Ｄ６を認証キーとして使用することができる。
【００３８】
確認部１０は、固有の端末情報Ｄ７（第１通信部３のＭＡＣアドレス情報）を有する。確認部１０は、第２通信部４から識別情報Ｄ６を取得する。確認部１０は、記録媒体５に保持されている識別情報Ｄ６が、固有の端末情報Ｄ７に基づいて作成されたか否かを判定する。より詳細には、確認部１０は、識別情報Ｄ６が第１通信部３のＭＡＣアドレス情報を含むように作成されたか否かを判定する。一例として、確認部１０は、識別情報Ｄ６にＭＡＣアドレス情報が含まれている場合、識別情報Ｄ６に含まれるＭＡＣアドレス情報と、第１通信部３のＭＡＣアドレス情報とを比較する。確認部１０は、識別情報Ｄ６に含まれるＭＡＣアドレス情報が第１通信部３のＭＡＣアドレス情報であると判定すると、識別情報Ｄ６が第１通信部３のＭＡＣアドレス情報に基づいて作成されたと判定する。すなわち確認部１０は、識別情報Ｄ６が固有の端末情報Ｄ７を含むように作成されたか否かを判定することにより、記録媒体５が保持している第２制御情報Ｄ２が正規の情報であるか否かを判定する。言い換えると、確認部１０は、識別情報Ｄ６が固有の端末情報Ｄ７に基づいて作成されたか否かを判定する。
【００３９】
表示制御部１３は、識別情報Ｄ６が固有の端末情報Ｄ７に基づいて作成されていないと確認部１０によって判定された場合、記録媒体５に、固有の端末情報Ｄ７が異なることを通知するメッセージＭ３を表示部１２に表示させる（図４参照）。メッセージＭ３は、一例として、記録媒体５が保持する複数の日時情報Ｄ３を適用させることができない情報と、識別情報Ｄ６を記録媒体５に書き込むことを促す情報とが含まれる。メッセージＭ３は、第２制御情報Ｄ２の複数の日時情報Ｄ３を「カレンダー情報」として表示させる情報を含む。図４では、別の固有の端末情報Ｄ７（別端末の情報）に基づいて作成された識別情報Ｄ６が保持されている記録媒体５が接続部７に接続された場合の表示部１２の表示内容を示している。戸建て住宅の住人は、メッセージＭ３を見ることにより、正しくない情報（別端末の情報）に基づいて作成された識別情報Ｄ６が記録媒体５に保持されていることに気付くことができる。
【００４０】
制御部２は、第２制御情報Ｄ２が正規の情報であると確認部１０が判定した場合、第２通信部４に第２制御情報Ｄ２を取得させる。そのため制御部２は、不正な第２制御情報Ｄ２を記録媒体５から取得しにくくなっている。
【００４１】
選択部８は、マイクロコンピュータの有するリアルタイムクロックの日時情報に基づいて、現在の日時を取得する。選択部８は、複数の日時情報Ｄ３のうち、現在の日時よりも後の２４時間に含まれる期間を日時情報Ｔ１として選択する。日時情報Ｔ１には、発電システム１０２に出力抑制を要請する期間の開始日時及び終了日時を示す情報と第３制御情報とが含まれる。制御部２は、選択部８が選択した日時情報Ｔ１を出力部１１に出力する。
【００４２】
制御部２は、記憶部６から取得した複数の日時情報Ｄ３を選択部８に出力する。選択部８は、複数の日時情報Ｄ３のうち、現在の日時に応じた日時情報Ｔ１を、少なくとも１つ選択して出力部１１に出力する。制御部２は、選択部８に日時情報Ｔ１を選択させ、かつその日時情報Ｔ１を出力部１１に出力する。
【００４３】
出力部１１は、通信ユニット１０３に制御信号を出力する。制御信号は、日時情報Ｔ１である。出力部１１は、電波を用いた無線通信を行うためのアンテナを有する。出力部１１は、制御部２が出力する日時情報Ｔ１を無線電波として送信（送出）する。言い換えると、出力部１１は、選択部８が選択した日時情報Ｔ１を制御信号として出力する。出力部１１は、日時情報Ｔ１を通信ユニット１０３に送信（出力）する。なお、制御部２は、一例として、２４時間が経過するごとに、選択部８と出力部１１とを制御する。言い換えると、出力部１１は、２４時間が経過するごとに１日分（２４時間分）の日時情報Ｔ１を送信（送出）することになる。
【００４４】
通信ユニット１０３は、電波を用いる無線通信を行うアンテナを具備している。通信ユニット１０３は、出力部１１が送信した電波を受信して、日時情報Ｔ１に含まれる情報（出力抑制を要請する期間の開始日時及び終了日時を示す情報と第３制御情報）をパワーコンディショナ１０４に出力する。パワーコンディショナ１０４は、出力抑制を要請する期間において電力系統に出力する電力（つまり売電する電力）を規定値以下に制限する。より詳細には、パワーコンディショナ１０４は、通信ユニット１０３が出力する日時情報Ｔ１と第３制御情報とに基づいて、売電する電力を、発電システム１０２が出力する発電する最大の電力に対して第３制御情報で指定された割合以下となるようにする。
【００４５】
制御部２は、第１通信部３がサーバ装置１０１と通信できる場合、第１制御情報Ｄ１に含まれる複数の日時情報Ｄ３を選択部８に出力する。制御部２は、第１通信部３がサーバ装置１０１から第１制御情報Ｄ１を取得できない場合、記憶部６が保持する複数の日時情報Ｄ３を選択部８に出力する。制御部２は、第１通信部３が制御部２と通信できないと判定すると、記録媒体５から第２制御情報Ｄ２を取得するように第２通信部４を制御する。制御部２は第２制御情報Ｄ２に含まれる複数の日時情報Ｄ３を記憶部６に保持させる。したがって、制御部２は、第１通信部３がサーバ装置１０１と通信できない場合でも、特定の情報（複数の日時情報Ｄ３）を取得することができる。その結果、第１通信部３がサーバ装置１０１と通信できない期間でも、出力部１１が通信ユニット１０３に日時情報Ｔ１を定期的（２４時間ごと）に送信し続けることが可能となる。
【００４６】
ところで、通信ユニット１０３が日時情報Ｔ１を受信できなければ、発電システム１０２は売電しない。第１通信部３がサーバ装置１０１と通信できない期間があっても、出力部１１は、通信ユニット１０３に日時情報Ｔ１を定期的（２４時間ごと）に送信し続けるので、発電システム１０２は新たな日時情報Ｔ１を受信することができる。したがって、第１通信部３がサーバ装置１０１と通信できない期間があっても、発電システム１０２が売電できない期間が生じにくくなる。
【００４７】
以上説明したように、本実施形態の制御システム１は、需要家施設の発電システム１０２から電力系統への出力電力を制限する制御信号（日時情報Ｔ１）を発電システム１０２に出力する制御システムである。制御システム１は、第１通信部３と、第２通信部４と、制御部２と、出力部１１とを備える。第１通信部３は、出力抑制を要請する期間を指定する複数の日時情報Ｄ３を含む第１制御情報Ｄ１を、サーバ装置１０１から取得する。第２通信部４は、複数の日時情報Ｄ３を含む第２制御情報Ｄ２を保持する記録媒体５から第２制御情報Ｄ２を取得する。出力部１１は、複数の日時情報Ｄ３に応じた制御信号（日時情報Ｔ１）を発電システム１０２に出力する。制御部２は、第１通信部３、第２通信部４及び出力部１１を制御する。制御部２は、第１制御情報Ｄ１を第１通信部３に取得させる第１状態と、記録媒体５に保持された第２制御情報Ｄ２を第２通信部４に取得させる第２状態と、を択一的に選択する。
【００４８】
上記構成によれば、第１通信部３がサーバ装置１０１から第１制御情報Ｄ１を取得できない場合でも、制御部２は、記録媒体５から第２制御情報Ｄ２を取得することが可能である。そのため、制御部２は、第１通信部３がサーバ装置１０１と通信できない期間でも、制御信号（日時情報Ｔ１）を出力部１１から発電システム１０２に出力（送出）させることができる。言い換えると、制御システム１は、サーバ装置１０１と通信できない場合でも、発電システム１０２を制御する制御信号（日時情報Ｔ１）を出力可能である。
【００４９】
本実施形態の制御システム１は、複数の日時情報Ｄ３を保持する記憶部６をさらに備えることが好ましい。制御部２は、第１制御情報Ｄ１及び第２制御情報Ｄ２のうち少なくとも一方に含まれる複数の日時情報Ｄ３を記憶部６に保持させる。
【００５０】
上記構成によれば、第１通信部３がサーバ装置１０１と通信できない場合でも、制御部２は、記憶部６が保持する複数の日時情報Ｄ３を取得することができる。そのため、制御部２は、例えば第１通信部３がサーバ装置１０１と通信できない期間において、記録媒体５から第２制御情報Ｄ２を取得する前であっても、記憶部６から複数の日時情報Ｄ３を取得することができる。
【００５１】
本実施形態の制御システム１は、選択部８をさらに備えることが好ましい。選択部８は複数の日時情報Ｄ３のうち少なくとも１つの日時情報Ｔ１を選択する。制御信号（日時情報Ｔ１）は、選択部８が選択した日時情報Ｔ１である。
【００５２】
上記構成によれば、第１通信部３がサーバ装置１０１と通信できない期間が発生しても、出力部１１は、選択部８が選択した日時情報Ｔ１を出力することができる。制御システム１では、第１通信部３がサーバ装置１０１と通信できない期間が発生しても、出力部１１は、通信ユニット１０３に定期的（２４時間ごと）に日時情報Ｔ１を出力（送出）することができる。そのため、第１通信部３がサーバ装置１０１と通信できない期間でも、出力部１１は、日時情報Ｔ１を必要とする機器（パワーコンディショナ１０４など）に定期的に制御信号（日時情報Ｔ１）を出力（送出）することができる。
【００５３】
本実施形態の制御システム１における制御部２は、第１制御情報Ｄ１に含まれる複数の日時情報Ｄ３のうち、現在の日時よりも後の複数の日時情報Ｄ３１を第２通信部４に取得させることが好ましい。
【００５４】
上記構成によれば、制御部２は、現在の日時よりも過去の日時情報Ｔ１を記録媒体５から取得することを抑制する。その結果、制御部２は、選択部８が選択できない過去の日時情報Ｔ１を記憶部６に保持させることを抑制できる。
【００５５】
本実施形態の制御システム１は、表示部１２と、表示部１２を制御する表示制御部１３とを備えることが好ましい。制御部２は、第１通信部３が第１制御情報Ｄ１に含まれる複数の日時情報Ｄ３を取得できるか否かを判定する。表示制御部１３は、制御部２が第１制御情報Ｄ１に含まれる複数の日時情報Ｄ３を取得できないと判定した場合、記録媒体５に保持されている第２制御情報Ｄ２の更新を促す情報を表示部１２に表示させる。記録媒体５に保持されている第２制御情報Ｄ２の更新を促す情報は、メッセージＭ１である。
【００５６】
これにより、戸建て住宅の住人は、表示部１２を見て、最新の複数の日時情報Ｄ３を記録媒体５に書き込めばよいことを知ることができる。メッセージＭ１はさらに、サーバ装置１０１と通信できないことを通知する情報を含んでいるので、戸建て住宅の住人は、サーバ装置１０１から第１制御情報Ｄ１を取得できない状態であることを知ることができる。
【００５７】
本実施形態の制御システム１はさらに第１通信部３が第１制御情報Ｄ１を取得した日時を示す第１作成日時情報Ｄ４を生成する生成部９を備えることが好ましい。第２制御情報Ｄ２はさらに、第２制御情報Ｄ２が作成された日時を示す第２作成日時情報Ｄ５を含むことが好ましい。制御部２は、第２作成日時情報Ｄ５の日時が、第１作成日時情報Ｄ４の日時よりも前である場合、第１制御情報Ｄ１に含まれる複数の日時情報Ｄ３及び第１作成日時情報Ｄ４を第２通信部４から記録媒体５に出力させる。第２通信部４は、第２制御情報Ｄ２に含まれる複数の日時情報Ｄ３を、第１制御情報Ｄ１に含まれる複数の日時情報Ｄ３に更新する。第２通信部４は、第２作成日時情報Ｄ５の日時を第１作成日時情報Ｄ４の日時に更新する。
【００５８】
上記構成によれば、第１通信部３が第１制御情報Ｄ１を取得し、かつ第２作成日時情報Ｄ５の日時が第１作成日時情報Ｄ４の日時よりも前である場合、制御部２は、第２制御情報Ｄ２を第２通信部４に更新させることができる。
【００５９】
本実施形態の制御システム１は、表示部１２と、表示部１２を制御する表示制御部１３と、判定部１５とを備えることが好ましい。判定部１５は、第２作成日時情報Ｄ５の日時から現在の日時までの日数が規定日数を超えるか否かを判定する。表示制御部１３は、判定部１５が第２作成日時情報Ｄ５の日時から現在の日時までの日数が規定日数を超えると判断した場合、記録媒体５に保持されている第２制御情報Ｄ２を更新するよう促す情報を表示部１２に表示させる。記録媒体５に保持されている第２制御情報Ｄ２を更新するよう促す情報は、メッセージＭ２である。
【００６０】
これにより、戸建て住宅の住人は、記録媒体５に保持されている第２制御情報Ｄ２を更新するよう促す情報を見て、記録媒体５の第２制御情報Ｄ２を更新すればよいことを知ることができる。メッセージＭ２はさらに、第２作成日時情報Ｄ５の日時から現在の日時までの日数と、記録媒体５が保持する複数の日時情報Ｄ３を更新する方法とに関する情報を含む。そのため戸建て住宅の住人は、記録媒体５が保持する複数の日時情報Ｄ３がどれくらい古い情報であるかを知ることができる。
【００６１】
本実施形態の制御システム１は、記録媒体５が保持している第２制御情報Ｄ２が正規の情報であるか否かを判定する確認部１０をさらに備えることが好ましい。制御部２は、第２制御情報Ｄ２が正規の情報であると確認部１０が判定した場合、第２制御情報Ｄ２を第２通信部４に取得させる。
【００６２】
上記構成によれば、確認部１０が正規の第２制御情報Ｄ２であると判断した場合に、制御部２が第２制御情報Ｄ２を第２通信部４に取得させるので、制御部２は、不正な第２制御情報Ｄ２を第２通信部４に取得させることを抑制できる。
【００６３】
本実施形態の制御システム１において、記録媒体５はさらに、識別情報Ｄ６を保持し、制御部２は、識別情報Ｄ６を第２通信部４に取得させることが好ましい。確認部１０は、固有の端末情報Ｄ７を有し、識別情報Ｄ６が固有の端末情報Ｄ７に基づいて作成されたか否かを判定する。
【００６４】
上記構成によれば、確認部１０は、識別情報Ｄ６が固有の端末情報Ｄ７に基づいて作成されたか否かを判定する。確認部１０は、識別情報Ｄ６が固有の端末情報Ｄ７に基づいて作成されたと判定した場合、記録媒体５が保持している第２制御情報Ｄ２が正規の情報であると判定する。制御部２は、記録媒体５が保持している第２制御情報Ｄ２が正規の情報である場合、第２制御情報Ｄ２を第２通信部４に取得させる。したがって、制御部２は、不正な第２制御情報Ｄ２から複数の日時情報Ｄ３を取得しにくくなっている。
【００６５】
本実施形態の制御システム１において、固有の端末情報Ｄ７は、第１通信部３ごとに割り当てられた固有の情報（本実施形態ではＭＡＣアドレス）であることが好ましい。固有の端末情報Ｄ７は、第１通信部３ごとに割り当てられた固有の情報であるため、識別情報Ｄ６が固有の端末情報Ｄ７に基づいて作成されたか否かを判定しやすい。
【００６６】
本実施形態の制御システム１は、さらに生成部９を備えることが好ましい。生成部９は、固有の端末情報Ｄ７に基づいて識別情報Ｄ６を生成する。制御部２は、識別情報Ｄ６を第２通信部４から記録媒体５に出力させる。
【００６７】
上記構成によれば、制御部２は、識別情報Ｄ６を記録媒体５に保持させる。戸建て住宅の住人は、識別情報Ｄ６が保持された記録媒体５を、パーソナルコンピュータ及びスマートフォンなどの情報端末で利用することができるようになる。本実施形態では、戸建て住宅の住人が、インターネットから複数の日時情報Ｄ３をダウンロードする際に、識別情報Ｄ６を認証キーとして使用することができる。そのため、戸建て住宅の住人が、識別情報Ｄ６の異なる別の制御システムで用いられる複数の日時情報Ｄ３を、誤ってダウンロードしにくくなる。
【００６８】
なお、制御システム１は、マイクロコンピュータを備えることに限定されず、マイクロコンピュータに代えて、ＩＣ（Integrated Circuit）などを備えていてもよい。また、マイクロコンピュータの数は複数でもよい。制御システム１は、マイクロコンピュータが内蔵するメモリからプログラムを読み込んで実行することにより、制御部２と、選択部８と、表示制御部１３と、生成部９と、判定部１５と、確認部１０とを実現しているが、この構成に限定されない。制御部２と、選択部８と、表示制御部１３と、生成部９と、判定部１５と、確認部１０とはそれぞれ、個別のマイクロコンピュータ、個別のＩＣなどによって実現されてもよい。
【００６９】
第１通信部３と、出力部１１とはそれぞれ、電波を用いた無線通信を行うことに限定されない。第１通信部３と、出力部１１とはそれぞれ、他の例として、光や音を用いた無線通信、及び有線通信を行ってもよい。
【００７０】
発電システム１０２が日時情報Ｔ１を用いる例として、パワーコンディショナ１０４に売電電力を制御させる例について説明したが、この例に限定されない。発電システム１０２は、パワーコンディショナ１０４の他にも、通信ユニット１０３と通信可能な適宜の機器及び装置を有していてもよい。その場合、通信ユニット１０３と通信可能な機器及び装置は、日時情報Ｔ１に応じて動作するように構成されていてもよい。
【００７１】
記録媒体５が保持する第２制御情報Ｄ２（つまり複数の日時情報Ｄ３と第２作成日時情報Ｄ５）及び識別情報Ｄ６は、固有の端末情報Ｄ７に基づいて暗号化されて保持されていてもよい。固有の端末情報Ｄ７に基づいて暗号化された第２制御情報Ｄ２及び識別情報Ｄ６は、一例として、異なる固有の端末情報Ｄ７を有する確認部１０では復号できないため、複数の日時情報Ｄ３が誤って制御部２に取得されにくくなる。
【００７２】
制御部２は第１制御情報Ｄ１から取得した第１作成日時情報Ｄ４を記憶部６に出力してもよい。
【００７３】
制御部２は、複数の日時情報Ｄ３を記憶部６に保持させているが、この構成に限定されない。例えば、制御部２は、記憶部６に複数の日時情報Ｄ３を保持させずに、第１通信部３が受信した複数の日時情報Ｄ３を選択部８に出力してもよい。その場合、記憶部６は省略することができる。
【００７４】
確認部１０は、識別情報Ｄ６に固有の端末情報Ｄ７が含まれるか否かを判定することに限定されない。確認部１０は、他にも例えば、識別情報Ｄ６が固有の端末情報Ｄ７に基づいて暗号化されているか否かを判定してもよい。一例として、識別情報Ｄ６が固有の端末情報Ｄ７を復号キーとして暗号化されている場合、確認部１０は、識別情報Ｄ６を正しく復号できる。したがって、確認部１０は、識別情報Ｄ６を正しく復号できた場合に、識別情報Ｄ６が固有の端末情報Ｄ７に基づいて作成されたと判定する。
【００７５】
第２通信部４は、記録媒体５と電気的に接続されることに限定されない。第２通信部４と記録媒体５とは通信によって記録媒体５に保持されている情報を第２通信部４が受信することができるように構成されていればよい。一例として、第２通信部４と記録媒体５との通信方法は、電波、音、光などを用いた無線通信でもよいし、有線通信でもよい。また、記録媒体５は、接続部７から着脱自在であることに限定されず、接続部７を介さずに第２通信部４と直接接続されていてもよい。
【００７６】
選択部８は、現在の日時よりも後の複数の日時情報Ｄ３１のうち、現在の日時よりも後の２４時間に含まれる期間を日時情報Ｔ１として選択するが、この構成に限定されない。選択部８は、他の例として、数時間及び数日間を、日時情報Ｔ１の期間としてもよい。
【００７７】
固有の端末情報Ｄ７は、ＭＡＣアドレスに限定されず、他の例として、マイクロコンピュータのメモリなどに保持された任意の情報（例えば文字情報や数値など）でもよい。
【００７８】
規定日数は、７日であることに限定されず、適宜の日数でよい。所定期間は、一例として３日間であるが、この日数に限定されず、数時間、又は数日、数週間、数か月などでもよい。
【００７９】
記憶部６は、ＥＥＰＲＯＭに限定されず、フラッシュメモリなどでもよい。
【００８０】
第１作成日時情報Ｄ４は、制御部２によって作成されることに限定されない。第１作成日時情報Ｄ４は、一例として、第１制御情報Ｄ１に含まれていてもよい。言い換えると、第１制御情報Ｄ１は、第１作成日時情報Ｄ４と、複数の日時情報Ｄ３とを含んでいてもよい。
【００８１】
分散型電源は、太陽光パネル１０５の他にも、一例として、蓄電池、化石燃料を用いるエンジン発電装置などであってもよい。
【００８２】
制御信号は、日時情報Ｔ１の他にも情報（例えば、第１制御情報Ｄ１及び第２制御情報Ｄ２に含まれる情報など）を含んでいてもよい。
【００８３】
制御部２は、第１通信部３から第１制御情報Ｄ１を取得し、第２通信部４から第２制御情報Ｄ２を取得してもよい。制御部２は、第１制御情報Ｄ１及び第２制御情報Ｄ２のうち少なくとも一方を記憶部６に保持させてもよい。この場合、制御部２は、第１制御情報Ｄ１に第１作成日時情報Ｄ４を含ませる。記憶部６は２つの複数の日時情報Ｄ３（第１制御情報Ｄ１の複数の日時情報Ｄ３と、第２制御情報Ｄ２の複数の日時情報Ｄ３）を保持する。制御部２は、第１作成日時情報Ｄ４と第２作成日時情報Ｄ５とにそれぞれ含まれる日付を比べることにより、より新しい方の複数の日時情報Ｄ３を記憶部６から取得することができる。
【００８４】
表示部１２は、液晶ディスプレイの他にも、一例として、有機エレクトロルミネッセンスディスプレイなどで構成されてもよい。
【符号の説明】
【００８５】
１０１  サーバ装置
１  制御システム
２  制御部
３  第１通信部
４  第２通信部
５  記録媒体
６  記憶部
８  選択部
９  生成部
１０  確認部
１１  出力部
１２  表示部
１３  表示制御部
１５  判定部
Ｄ１  第１制御情報
Ｄ２  第２制御情報
Ｄ３  日時情報（複数の日時情報）
Ｄ４  第１作成日時情報
Ｄ５  第２作成日時情報
Ｄ６  識別情報
Ｄ７  固有の端末情報
Ｔ１  日時情報（制御信号）
【図１】
0006531949.tif 000002
【図２】
0006531949.tif 000003
【図３】
0006531949.tif 000004
【図４】
0006531949.tif 000005